(57)【要約】【課題】携帯端末向け観光ガイドシステムを利用した観光記念アルバム作成システムを提供する。【解決手段】撮影カメラ、観光ガイド用携帯端末及び入出力端末と接続された観光記念アルバム作成装置が、グループコードと携帯端末の端末コードとを対応付けて第１のデータベースに格納する手段と、観光ガイド用携帯端末から撮影カメラコード及び端末コードを受信したとき撮影カメラに対して撮影指示を送信する手段と、撮影カメラから撮影画像データを受信してグループコード及び撮影カメラコードと対応付けて第２のデータベースに格納する手段と、入力された端末コードに基づいて全ての撮影画像データを取得して表示する手段と、撮影画像の選択及びアルバムにおける貼り付け箇所の指定に基づいてアルバムを作成する手段と、作成されたアルバムをプリント出力する手段と、を備える。【選択図】図1
2013068978.tif 000002
【特許請求の範囲】
【請求項１】
観光地に設置されかつ固有の撮影カメラコードをもつ撮影カメラ、及び、観光客に貸し出されかつ固有の端末コードをもつ観光ガイド用携帯端末の各々とネットワークを介して接続されかつ入出力端末と接続された、複数の観光客からなるグループでの観光における観光記念アルバムの作成を行う観光記念アルバム作成装置であって、
グループに固有のグループコードと前記グループに含まれる各観光客が携帯する各観光ガイド用携帯端末の端末コードとを対応付けて第１のデータベースに格納する手段と、
観光ガイド用携帯端末からネットワークを介して撮影カメラコード及び端末コードを受信したことに応じて、受信した前記撮影カメラコードに対応する撮影カメラに対して撮影指示を送信する手段と、
前記撮影指示により撮影を行った前記撮影カメラからネットワークを介して撮影画像データを受信したことに応じて、前記観光ガイド用携帯端末から受信した端末コードに基づいて前記第１のデータベースから取得したグループコードと、前記撮影カメラの撮影カメラコードと、受信した前記撮影画像データとを対応付けて第２のデータベースに格納する手段と、
前記入出力端末から入力された端末コードに基づいて前記第１のデータベースから対応するグループコードを取得し、取得したグループコードに基づいて前記第２のデータベースから対応する全ての撮影画像データを取得する手段と、
取得した前記全ての撮影画像データの撮影画像を前記入出力端末に表示する手段と、
前記入出力端末から入力された、撮影画像の選択及びアルバムにおける貼り付け箇所の指定に基づいて、選択された撮影画像を指定された箇所に貼り付けることによりアルバムを作成する手段と、
作成されたアルバムをプリント出力する手段と、を備えたことを特徴とする
観光記念アルバム作成装置。
【請求項２】
前記撮影カメラコードと、撮影カメラの設置された観光地に固有の観光地コードとを対応付けて第３のデータベースに格納する手段と、
前記観光地コードと、観光地情報とを対応付けて第４のデータベースに格納する手段と、
前記第２のデータベースから取得された前記全ての撮影画像データの各々に対応する撮影カメラコードに基づいて前記第３のデータベースから対応する観光地コードを取得する手段と、
取得した前記観光地コードに基づいて前記第４のデータベースから対応する観光地情報を取得する手段と、を備え、
前記アルバムを作成する手段が、取得した観光地情報も前記アルバムに付与することを特徴とする請求項１に記載の観光記念アルバム作成装置。
【請求項３】
観光地に設置されかつ固有の観光地コードをもつ無線マーカとネットワークを介して接続されており、
前記観光地コードと観光ガイド情報とを対応付けて格納した第５のデータベースと、
観光ガイド用携帯端末からネットワークを介して観光地コードを受信したことに応じて、受信した前記観光地コードに基づいて前記第５のデータベースから対応する観光ガイド情報を取得して前記観光ガイド用携帯端末にに対して送信する手段と、をさらに備えたことを特徴とする請求項１又は２に記載の観光記念アルバム作成装置。
【請求項４】
複数の観光客からなるグループでの観光における観光記念アルバムの作成を行う観光記念アルバム作成システムであって、
観光地に設置されかつ固有の撮影カメラコードをもつ撮影カメラと
観光客に貸し出されかつ固有の端末コードをもつ観光ガイド用携帯端末と、
前記撮影カメラ及び前記観光ガイド用携帯端末の各々とネットワークを介して接続され観光記念アルバム作成装置と、
前記観光記念アルバム作成装置に接続された入出力端末と、を有し、
前記観光記念アルバム作成装置は、
グループに固有のグループコードと前記グループに含まれる各観光客が携帯する各観光ガイド用携帯端末の端末コードとを対応付けて第１のデータベースに格納する手段と、
観光ガイド用携帯端末からネットワークを介して撮影カメラコード及び端末コードを受信したことに応じて、受信した前記撮影カメラコードに対応する撮影カメラに対して撮影指示を送信する手段と、
前記撮影指示により撮影を行った前記撮影カメラからネットワークを介して撮影画像データを受信したことに応じて、前記観光ガイド用携帯端末から受信した端末コードに基づいて前記第１のデータベースから取得したグループコードと、前記撮影カメラの撮影カメラコードと、受信した前記撮影画像データとを対応付けて第２のデータベースに格納する手段と、
前記入出力端末から入力された端末コードに基づいて前記第１のデータベースから対応するグループコードを取得し、取得したグループコードに基づいて前記第２のデータベースから対応する全ての撮影画像データを取得する手段と、
取得した前記全ての撮影画像データの撮影画像を前記入出力端末に表示する手段と、
前記入出力端末から入力された、撮影画像の選択及びアルバムにおける貼り付け箇所の指定に基づいて、選択された撮影画像を指定された箇所に貼り付けることによりアルバムを作成する手段と、
作成されたアルバムをプリント出力する手段と、を備えたことを特徴とする
観光記念アルバム作成システム。
【請求項５】
前記観光記念アルバム作成装置は、
前記撮影カメラコードと、撮影カメラの設置された観光地に固有の観光地コードとを対応付けて第３のデータベースに格納する手段と、
前記観光地コードと、観光地情報とを対応付けて第４のデータベースに格納する手段と、
前記第２のデータベースから取得された前記全ての撮影画像データの各々に対応する撮影カメラコードに基づいて前記第３のデータベースから対応する観光地コードを取得する手段と、
取得した前記観光地コードに基づいて前記第４のデータベースから対応する観光地情報を取得する手段と、を備え、
前記アルバムを作成する手段が、取得した観光地情報も前記アルバムに付与することを特徴とする請求項４に記載の観光記念アルバム作成システム。
【請求項６】
前記観光記念アルバム作成装置は、
観光地に設置されかつ固有の観光地コードをもつ無線マーカとネットワークを介して接続されており、
前記観光地コードと観光ガイド情報とを対応付けて格納した第５のデータベースと、
観光ガイド用携帯端末からネットワークを介して観光地コードを受信したことに応じて、受信した前記観光地コードに基づいて前記第５のデータベースから対応する観光ガイド情報を取得して前記観光ガイド用携帯端末にに対して送信する手段と、をさらに備えたことを特徴とする請求項４又は５に記載の観光記念アルバム作成システム。
【発明の詳細な説明】
【技術分野】
【０００１】
本発明は、携帯端末向け観光ガイドシステムを利用して観光記念アルバムを作成する装置及びシステムに関するものである。
【背景技術】
【０００２】
携帯電話やＰＤＡなどの「携帯端末」を利用した観光ガイドシステムが開発され、観光地では携帯端末を観光客へ貸し出すサービスを提供するところが増えてきている。近年では、この携帯端末から観光地情報の配信だけではなく、道案内機能やチケット機能などのサービスを受けることもできる。
【０００３】
本発明に関連する公知技術文献として特許文献１があげられる。特許文献１には、観光情報配信装置が、利用者の個人情報を記録装置に登録しており、その個人情報には利用者が配信を希望する観光対象の情報が含まれており、移動体端末からネットワークを介して取得した利用者の位置情報に基づいて、利用者が配信を希望する観光対象のみに関するガイド内容を移動体端末に送信する構成が記載されている。
【先行技術文献】
【特許文献】
【０００４】
【特許文献１】特許公開2005-157977号公報
【発明の開示】
【発明が解決しようとする課題】
【０００５】
観光ガイド用の携帯端末は、観光地の案内所にて貸出・返却を行っているところが多く、また、それらの案内所は利用しやすい場所に設置されていることが多い。しかし、観光地によっては、観光地の規模などの関係上、案内所が利用しづらい場所にあったり、案内所の数が少ない場合もある。このような場合、携帯端末を借りた観光客は返却の際、遠い場所まで返却しに行かなければならなく、返却を煩わしく思ってしまったり、手間に感じてしまい、不快に思ったり、楽しい思い出を台無しにしてしまうことさえ考えられる。対応策としては、案内所の場所の変更や増設が考えられるが、現実的には容易でない場合もある。
【０００６】
そこで、借りた携帯電話を案内所に返却する動機付けを高めるために、また、さらには再度の来訪を促すためにも、返却して戴いた場合には、感謝の意味も込めて、なんらかのサービスを提供することが重要であると考えられる。
【０００７】
本発明の目的は、返却された携帯端末の情報から観光記念アルバムを作成し、観光客に提供することで、楽しい思い出を記録に残せることを実現する装置及びシステムを提供することにある。
【課題を解決するための手段】
【０００８】
上記の目的を達成する本発明の構成は、以下の通りである。
本発明の第１の態様である観光記念アルバム作成装置は、観光地に設置されかつ固有の撮影カメラコードをもつ撮影カメラ、及び、観光客に貸し出されかつ固有の端末コードをもつ観光ガイド用携帯端末の各々とネットワークを介して接続されかつ入出力端末と接続された、複数の観光客からなるグループでの観光における観光記念アルバムの作成を行う観光記念アルバム作成装置であって、
グループに固有のグループコードと前記グループに含まれる各観光客が携帯する各観光ガイド用携帯端末の端末コードとを対応付けて第１のデータベースに格納する手段と、
観光ガイド用携帯端末からネットワークを介して撮影カメラコード及び端末コードを受信したことに応じて、受信した前記撮影カメラコードに対応する撮影カメラに対して撮影指示を送信する手段と、
前記撮影指示により撮影を行った前記撮影カメラからネットワークを介して撮影画像データを受信したことに応じて、前記観光ガイド用携帯端末から受信した端末コードに基づいて前記第１のデータベースから取得したグループコードと、前記撮影カメラの撮影カメラコードと、受信した前記撮影画像データとを対応付けて第２のデータベースに格納する手段と、
前記入出力端末から入力された端末コードに基づいて前記第１のデータベースから対応するグループコードを取得し、取得したグループコードに基づいて前記第２のデータベースから対応する全ての撮影画像データを取得する手段と、
取得した前記全ての撮影画像データの撮影画像を前記入出力端末に表示する手段と、
前記入出力端末から入力された、撮影画像の選択及びアルバムにおける貼り付け箇所の指定に基づいて、選択された撮影画像を指定された箇所に貼り付けることによりアルバムを作成する手段と、
作成されたアルバムをプリント出力する手段と、を備えたことを特徴とする
観光記念アルバム作成装置。
【０００９】
上記第１の態様の観光記念アルバム作成装置において、前記撮影カメラコードと、撮影カメラの設置された観光地に固有の観光地コードとを対応付けて第３のデータベースに格納する手段と、
前記観光地コードと、観光地情報とを対応付けて第４のデータベースに格納する手段と、
前記第２のデータベースから取得された前記全ての撮影画像データの各々に対応する撮影カメラコードに基づいて前記第３のデータベースから対応する観光地コードを取得する手段と、
取得した前記観光地コードに基づいて前記第４のデータベースから対応する観光地情報を取得する手段と、を備え、
前記アルバムを作成する手段が、取得した観光地情報も前記アルバムに付与することが、好適である。
【００１０】
上記第１の態様の観光記念アルバム作成装置において、観光地に設置されかつ固有の観光地コードをもつ無線マーカとネットワークを介して接続されており、
前記観光地コードと観光ガイド情報とを対応付けて格納した第５のデータベースと、
観光ガイド用携帯端末からネットワークを介して観光地コードを受信したことに応じて、受信した前記観光地コードに基づいて前記第５のデータベースから対応する観光ガイド情報を取得して前記観光ガイド用携帯端末にに対して送信する手段と、をさらに備えたことが、好適である。
【００１１】
本発明の第２の態様は、複数の観光客からなるグループでの観光における観光記念アルバムの作成を行う観光記念アルバム作成システムであって、
観光地に設置されかつ固有の撮影カメラコードをもつ撮影カメラと
観光客に貸し出されかつ固有の端末コードをもつ観光ガイド用携帯端末と、
前記撮影カメラ及び前記観光ガイド用携帯端末の各々とネットワークを介して接続され観光記念アルバム作成装置と、
前記観光記念アルバム作成装置に接続された入出力端末と、を有し、
前記観光記念アルバム作成装置は、
グループに固有のグループコードと前記グループに含まれる各観光客が携帯する各観光ガイド用携帯端末の端末コードとを対応付けて第１のデータベースに格納する手段と、
観光ガイド用携帯端末からネットワークを介して撮影カメラコード及び端末コードを受信したことに応じて、受信した前記撮影カメラコードに対応する撮影カメラに対して撮影指示を送信する手段と、
前記撮影指示により撮影を行った前記撮影カメラからネットワークを介して撮影画像データを受信したことに応じて、前記観光ガイド用携帯端末から受信した端末コードに基づいて前記第１のデータベースから取得したグループコードと、前記撮影カメラの撮影カメラコードと、受信した前記撮影画像データとを対応付けて第２のデータベースに格納する手段と、
前記入出力端末から入力された端末コードに基づいて前記第１のデータベースから対応するグループコードを取得し、取得したグループコードに基づいて前記第２のデータベースから対応する全ての撮影画像データを取得する手段と、
取得した前記全ての撮影画像データの撮影画像を前記入出力端末に表示する手段と、
前記入出力端末から入力された、撮影画像の選択及びアルバムにおける貼り付け箇所の指定に基づいて、選択された撮影画像を指定された箇所に貼り付けることによりアルバムを作成する手段と、
作成されたアルバムをプリント出力する手段と、を備えたことを特徴とする。
【００１２】
上記第２の態様の観光記念アルバム作成システムにおいて、
前記観光記念アルバム作成装置は、
前記撮影カメラコードと、撮影カメラの設置された観光地に固有の観光地コードとを対応付けて第３のデータベースに格納する手段と、
前記観光地コードと、観光地情報とを対応付けて第４のデータベースに格納する手段と、
前記第２のデータベースから取得された前記全ての撮影画像データの各々に対応する撮影カメラコードに基づいて前記第３のデータベースから対応する観光地コードを取得する手段と、
取得した前記観光地コードに基づいて前記第４のデータベースから対応する観光地情報を取得する手段と、を備え、
前記アルバムを作成する手段が、取得した観光地情報も前記アルバムに付与することが、好適である。
【００１３】
前記第２の態様の観光記念アルバム作成システムにおいて、
前記観光記念アルバム作成装置は、
観光地に設置されかつ固有の観光地コードをもつ無線マーカとネットワークを介して接続されており、
前記観光地コードと観光ガイド情報とを対応付けて格納した第５のデータベースと、
観光ガイド用携帯端末からネットワークを介して観光地コードを受信したことに応じて、受信した前記観光地コードに基づいて前記第５のデータベースから対応する観光ガイド情報を取得して前記観光ガイド用携帯端末にに対して送信する手段と、をさらに備えたことが、好適である。
【発明の効果】
【００１４】
本発明により、主として下記３点の効果を得ることができる。
（１）観光客が、撮影カメラが設置されている観光地を通過するだけで、撮影カメラが自動で撮影を行うため、他人に依頼することなく、写真を撮ることが可能となる。また、撮影カメラの位置が認識されないような隠し撮影ポイントなどを設けることで、観光客の自然な表情を撮影することも可能となる。
（２）グループ内のいずれの携帯端末に関連して撮影された撮影画像も、グループ全体で共有できるため、観光記念アルバム作成時に気に入った写真を思い出として残すことができる。
（３）撮影画像を選ぶだけで、観光地情報が付加されるため、観光記念のアルバムを容易に作成することができる。
【図面の簡単な説明】
【００１５】
【図１】本発明の一実施の形態の例を示すシステム構成図である。
【図２】観光地情報データベースに格納されているデータの構成図である。
【図３】撮影画像データベースに格納されているデータの構成図である。
【図４】グループ情報データベースに格納されているデータの構成図である。
【図５】撮影カメラ情報データベースに格納されているデータの構成図である。
【図６】観光客の行動の流れを示すフローチャートである。
【図７】観光ガイド用携帯端末の処理を示すフローチャートである。
【図８】ホスト装置の処理を示すフローチャートである。
【図９】作成される観光記念アルバムの具体例の説明図である。
【発明を実施するための形態】
【００１６】
以下、本発明を実施する場合の実施形態を、図面を用いて詳細に説明する。
図１は、本発明の実施の形態の一例を概略的に示すシステム構成図である。
携帯端末向け観光ガイドシステムを利用した観光記念アルバム作成システムは、ホスト装置１と、各観光地に永続的に設置された撮影カメラ１３ａ、１３ｂ、１３ｃと、各撮影カメラと１対１の関係で各観光地に設置されたカメラ撮影用無線マーカ１６ａ、１６ｂ、１６ｃと、各観光地に設置された観光ガイド用無線マーカ１４ａ、１４ｂ、１４ｃと、観光客に貸し出す観光ガイド用携帯端末１５ａ、１５ｂ、１５ｃと、を有する構成となっている。
【００１７】
以下、複数の撮影カメラ１３ａ、１３ｂ、１３ｃ、複数のカメラ撮影用無線マーカ１６ａ、１６ｂ、１６ｃ、複数の観光ガイド用無線マーカ１４ａ、１４ｂ、１４ｃ、複数の観光ガイド用携帯端末１５ａ、１５ｂ、１５ｃの各群の総称または各群のうちのいずれか１つの呼称として、「撮影カメラ１３」、「カメラ撮影用無線マーカ１６」、「観光ガイド用無線マーカ１４」、「観光ガイド用携帯端末１５」を用いる場合がある。また、観光ガイド用携帯端末を単に「携帯端末」と称する場合がある。
【００１８】
ホスト装置１は、観光地情報データベース７、撮影画像データベース８、グループ情報データベース９、カメラ情報データベース１０、観光ガイドデータベース１１を備え、入出力端末１２と接続されている。ホスト装置１と、撮影カメラ１３及び観光ガイド用携帯端末１５の各々とは、ネットワークで接続されている。入出力端末１２は、キーボード等の入力装置と、表示装置及び印刷装置等の出力装置を具備する。
【００１９】
図１に示した本発明のシステムは、携帯端末向け観光ガイドシステムと、観光記念アルバム作成システムの２つのシステムの機能を１つのシステムとして統合した構成となっている。携帯端末向け観光ガイドシステムの部分については公知のものである。ホスト装置１は、観光ガイドシステムのホスト装置であると同時に、観光記念アルバム作成システムのホスト装置すなわち観光記念アルバム作成装置でもある。
【００２０】
ホスト装置１は、内部に検索処理部２、送受信部３、印刷処理部４、アルバム作成処理部５、データベース更新部６を保持している。ホスト装置１は、これらの処理部等の機能を実現するプログラムを導入した適宜のコンピュータであり、メモリにプログラムを読み込みＣＰＵが実行することにより、各処理部等の機能が実現される。
【００２１】
図２は、ホスト装置１の観光地情報データベース７の保持するデータ構成の一例を示している。観光地情報データベース７には、アルバム作成時に利用する観光地の情報が、１つの観光地ごとに格納されている。データ項目として、観光地に固有の識別コードを格納する「観光地コード」２１、観光地の名称を格納する「観光地名」２２、及び、具体的な情報を格納する「観光地情報」２３が設けられている。
【００２２】
図３は、ホスト装置１の撮影画像データベース８の保持するデータ構成の一例を示している。各観光地に設置された撮影カメラ１３は、撮影した後に撮影画像データをホスト装置に送信してくるが、ホスト装置１は１つの撮影画像データごとにこの撮影画像データベース８に格納する。データ項目として、撮影を行った撮影カメラに固有の識別コードを格納する「撮影カメラコード」３１、撮影された観光客の属するグループに固有の識別コードを格納する「グループコード」３２、撮影された観光客が携帯する携帯端末に固有の識別コードを格納する「端末コード」３３、及び、撮影画像データを格納する「撮影画像データ」３４が設けられている。
【００２３】
図４は、ホスト装置１のグループ情報データベース９の保持するデータ構成の一例を示している。複数の観光客からなる１つのグループに対して複数の携帯端末を貸し出したとき、その情報が入出力端末１２から入力され、１つの携帯端末ごとにグループ情報データベース９に格納される。データ項目として、グループの識別コードを格納する「グループコード」４１、携帯端末の識別コードを格納する「端末コード」４２、及び、携帯端末を携帯する観光客の名前を格納する「観光客の名前」４３が設けられている。
【００２４】
図５は、ホスト装置１の撮影カメラ情報データベース１０の保持するデータ構成の一例を示している。１つの撮影カメラごとに、その設置場所に関する情報が格納されている。データ項目として、撮影カメラの識別コードを格納する「撮影カメラコード」５１、撮影カメラの設置場所である観光地の観光地コードを格納する「観光地コード」５２、及び、観光地の名称を格納する「観光地名」５３が設けられている。
【００２５】
図示しないが、図１のホスト装置１の観光ガイドデータベース１１には、観光ガイド用携帯端末１５からの観光ガイド情報要求に対して返信する情報が格納されている。このデータベース１１は、観光中にのみ用いられ、観光終了後のアルバム作成とは無関係である。
【００２６】
以上の図２〜図５に示した複数のデータベースは、共通するデータ項目によってリンクしている。
【００２７】
ホスト装置１の送受信部３は、各観光地に設置された撮影カメラ１３から送信される情報及び観光ガイド用携帯端末１５から送信される情報を受信する処理を行う。また、観光ガイド用携帯端末からの観光ガイド情報要求に対する返信を送信する処理を行う。
【００２８】
ホスト装置１のデータベース更新部６は、各観光地に設置された撮影カメラ１３、観光ガイド用携帯端末１５、入出力端末１２から受信し又は入力された情報を各データベースの格納し又は更新する処理を行う。
【００２９】
ホスト装置１の検索処理部２、アルバム作成処理部５及び印刷処理部４は、各データベースに格納された情報に基づいて観光記念アルバムを作成し印刷する処理を行う。詳細は後に図８において説明するが、アルバム作成時に、検索処理部２が観光地情報データベース７、撮影画像データベース８、グループ情報データベース９、カメラ情報データベース１０から必要な情報をで検索する。その検索された情報の中から必要な情報のみが、入出力端末１２にて選択され、その選択された情報をもとにアルバム作成処理部５が観光記念アルバムを作成する。さらに印刷処理部４が、作成した観光記念アルバムをプリント出力する。
【００３０】
以下、本実施形態に係る、携帯端末向け観光ガイドシステムを利用した観光記念アルバム作成システムの動作について説明する。説明においては、図１中の符号を参照する場合がある。
【００３１】
図６は、本システムを利用する観光客の行動の流れを示すフローチャートである。
観光客は、観光ガイド用携帯端末１５を借りる。この際、家族や友人などの団体を管理するグループ情報を登録する（ステップ６０１）。具体的には、グループコードが割り当てられ、各観光客の名前が入出力端末１２から入力され、貸し出された各携帯端末の端末コードとともにグループ情報データベース９に格納される。
【００３２】
観光客は、各観光地で観光ガイド用携帯端末１５を利用し、観光ガイド情報を取得する（ステップ６０２）。観光中、自動的に撮影が行われるが、観光客は撮影を意識しない。
観光客は、観光終了後に観光ガイド用携帯端末１５を返却する（ステップ６０３）。
観光客は、入出力端末１２を用いて、撮影された撮影画像や観光地の説明文などを選択し、アルバム作成を行う（ステップ６０４）。
観光客は、プリント出力されたアルバムを受け取る（ステップ６０５）。
【００３３】
図７は、観光ガイド用携帯端末１５を主体とする処理を示すフローチャートである。
ここで、各観光地に設置されている観光ガイド用無線マーカ１４は、常時、当該観光地のエリア内で受信可能な観光地コードを発信している。
また、各撮影カメラ１３に対応して設置されているカメラ撮影用無線マーカ１６は、常時、当該撮影エリア内で受信可能な撮影カメラコードを発信している。
観光ガイド用携帯端末１５は、観光地コード又は撮影カメラコードを受信するまで、観光地コード又は撮影カメラの待ち状態にある（ステップ７０１、ステップ７０６）。
【００３４】
「観光地コードを受信した場合」（ステップ７０１）は、次の流れとなる。
観光ガイド用携帯端末１５は、当該観光地に設置されているガイド用無線マーカ１４から観光地コードを取得する（ステップ７０２）。
観光ガイド用携帯端末１５は、ホスト装置１に取得した観光地コードを送信する（ステップ７０３）。
ホスト装置１は、受信した観光地コードをもとに観光ガイドデータベース１１を検索し、対応する観光ガイド情報を観光ガイド用携帯端末１５に送信する。観光ガイド用携帯端末１５は、観光ガイド情報を受信する（ステップ７０４）。
観光ガイド用携帯端末１５は、受信した観光ガイド情報をディスプレイに表示する。（ステップ７０５）
【００３５】
「撮影カメラコードを受信した場合」（ステップ７０６）は、次の流れとなる。
観光ガイド用携帯端末１５は、各撮影カメラ１３に対応して設置されているカメラ撮影用無線マーカ１６から撮影カメラコードを取得する（ステップ７０７）。
観光ガイド用携帯端末１５は、ホスト装置１に取得した撮影カメラコードを送信する（ステップ７０８）。なお、観光ガイド用携帯端末１５がホスト装置１に何らかのデータ送信する場合は、端末コードも併せて送信する。
【００３６】
図８は、ホスト装置１の処理を示すフローチャートである。
ホスト装置１は、入出力端末１２からのアルバム作成処理の要求（ステップ８０１）、観光ガイド用携帯端末１５から送信された観光地コードによる観光ガイド情報の要求（ステップ８０７）、観光ガイド用携帯端末１５から送信された撮影カメラコードによるカメラ撮影の指示（ステップ８１０）、又は、撮影カメラ１３から送信された撮影画像データの受信（ステップ８１２）のいずれかに応じて、以下の処理を行う。
【００３７】
「アルバム作成処理の場合」（ステップ８０１）は、次の流れとなる。
入出力端末１２から観光ガイド用携帯端末１５の端末コードが入力される。（ステップ８０２）
入力された端末コードをもとに、グループ情報データベース９よりグループコードを検索し取得する（ステップ８０３）。
【００３８】
グループコードをもとに、観光地情報データベース７、撮影画像データベース８、撮影カメラ情報データベース１０を検索し、観光地ごとの撮影画像データを取得する。まず、グループコードをキーとして、撮影画像データベース８より当該グループを対象とする撮影画像データのレコードを全て取得する。次に、取得したレコードに対して、撮影カメラコードをキーとし、撮影カメラ情報データベース１０より、観光地コードをレコード１つ１つと紐づける。これにより、撮影画像データが観光地ごとに区分けされる。その後、観光地コードをキーとし、観光地情報データベース７より観光地名称を紐付けることで、該当する観光地情報を取得する。こうして、観光地ごとの観光地情報も含む撮影画像データ一覧を得る（ステップ８０４）。この撮影画像データ一覧を基に撮影画像一覧を入出力端末１２に表示する。
【００３９】
入出力端末１２に表示された観光地ごとの撮影画像一覧から、利用者の所望する撮影画像が入出力端末１２を用いて選択されるとともに、選択された撮影画像を貼り付けるアルバムのページ及び位置等の貼り付け箇所が、入出力端末１２を用いて指定される。選択された撮影画像をアルバムの指定された貼り付け箇所に貼り付けて、アルバムを作成する。このとき、観光地情報もアルバムに付与する（ステップ８０５）。作成されたアルバムを入出力端末１２に表示する。
作成したアルバムをプリント出力する（ステップ８０６）。作成されるアルバムの一部分を図９に示す。
【００４０】
「観光ガイド情報要求の場合」（ステップ８０７）は、次の流れとなる。
観光ガイド用携帯端末１５から受信した観光地コードをキーとして、観光ガイドデータベース１１を検索し、対象の観光ガイド情報を取得する（ステップ８０８）。
入手した観光ガイド情報を観光ガイド用携帯端末１５へ送信する（ステップ８０９）。
【００４１】
「カメラ撮影指示の場合」（ステップ８１０）は、次の流れとなる。
観光ガイド用携帯端末１５から受信した撮影カメラコードをもとに、対象の撮影カメラ１３に対して撮影指示を送信する（ステップ８１１）。撮影カメラ１３は、撮影指示を受信すると、撮影を行い、撮影画像データをホスト装置１に送信する。
【００４２】
「撮影画像受信の場合」（ステップ８１２）は、次の流れとなる。
撮影カメラ１３から受信した撮影画像データを、グループコードとともに撮影画像データベース８に格納する。グループコードについては、観光ガイド用携帯端末１５から撮影カメラコードと共に受信した端末コードをもとに、グループ情報データベース９より予め検索し取得しておく（ステップ８１３）。
【００４３】
図９は作成される観光記念アルバムの一例である。
撮影画像と共に、撮影場所を示した観光地の地図や説明文などの観光地情報を載せることで、オリジナルのアルバムを作成する。
【符号の説明】
【００４４】
１・・・ホスト装置、２・・・検索処理部、３・・・送受信部、４・・・印刷処理部、５・・・アルバム作成処理部、６・・・データベース更新部、７・・・観光地情報データベース、８・・・撮影画像データベース、９・・・グループ情報データベース、１０・・・カメラ情報データベース、１１・・・観光ガイドデータベース、１２・・・入出力端末、１３ａ，１３ｂ，１３ｃ・・・カメラ、１４ａ，１４ｂ，１４ｃ・・・観光ガイド用無線マーカ、１５ａ，１５ｂ，１５ｃ・・・観光ガイド用携帯端末、１６ａ，１６ｂ，１６ｃ・・・カメラ撮影用無線マーカ
【図１】
2013068978.tif 000003
【図２】
2013068978.tif 000004
【図３】
2013068978.tif 000005
【図４】
2013068978.tif 000006
【図５】
2013068978.tif 000007
【図６】
2013068978.tif 000008
【図７】
2013068978.tif 000009
【図８】
2013068978.tif 000010
【図９】
2013068978.tif 000011